(57)【要約】      （修正有）【課題】陰部や肛門のこすり洗いや洗い流しに便利で、性病に極めて感染しにくいＵ字型風呂いすを提供する。【解決手段】風呂椅子全体の形状をＵ字形またはそれに近い形にする。または、Ｕ字形またはそれに近い形の座板を風呂椅子の座板とし、座板下側に４本の脚を設けるか、ステンレスパイプまたはブラックペイントを塗った鉄パイプのＵ字形の骨組みに座板を固定する。さらに、上記の風呂椅子の座面にある舌形の凹部分を覆うフタを設ける。陰部や肛門をこすり洗いしたり、洗い流したりする時は、フタを取り外す。体の他の箇所を洗う時は、フタを取り付け、完全な形の座面の上で洗うことができる。もちろん、フタを取り付けなくてもよい。フタは複数用意し、風呂椅子を利用する入浴者それぞれが自分専用のフタを持ち、性病の感染を防げるようにする。【選択図】図１
0003111168.tif 000002
【実用新案登録請求の範囲】
【請求項１】
椅子全体の形状をＵ字形またはそれに近い形にした風呂椅子。
【請求項２】
座面の舌形の凹部分を覆うフタをつけた、請求項１記載の風呂椅子。
【請求項３】
複数のフタを用意した、請求項２の風呂椅子。
【請求項４】
Ｕ字形またはそれに近い形の座板と、骨組みまたは脚を持つ構造の風呂椅子
【請求項５】
座面の舌形の凹部分を覆うフタのある、請求項４の風呂椅子。
【請求項６】
複数のフタのある、請求項目５の風呂椅子。
【考案の詳細な説明】
【技術分野】
【０００１】  本考案は、風呂いすに関するものである。
【背景技術】
【０００２】  従来型風呂椅子の座面は、人が座って体を洗う時に肛門や陰部の下に当たる部分に凹み（持ち運びのために座面中心に開けてある小さな穴は除く）がなく、風呂椅子の前側は壁状の囲みになっている。
【考案の開示】
【考案が解決しようとする課題】
【０００３】  上記の従来型の風呂椅子に座って入浴する場合、座面が邪魔になって陰部や肛門をこすり洗いすることができない。しかし、立ち上がって陰部や肛門をこすり洗いするのは恥ずかしく、人の目が気になる。また、風呂椅子を離れてしゃがみ込んで洗うのは不便で、床面すれすれになってしまい、しかも洗い流しにくい。もしホースつきのシャワーで洗い流せば、一旦床に飛び散った水が陰部や肛門にかかることになり、非衛生的である。【０００４】  風呂椅子前側の壁状の囲みも、陰部や肛門を洗うのに邪魔になる。【０００５】  さらに、性病患者が従来型の風呂椅子に座って陰部を洗った場合、陰部の性病のウイルスや病原菌が風呂椅子の座面に付着するおそれがある。実際、性病患者が上半身や太ももを洗う時でも、水が陰部にかかれば、陰部のウイルスや病原菌が座面に付着するおそれがある。他の人がこの風呂椅子で陰部を洗うとき、こすり洗いするタオルが座面に触れれば、性病患者の陰部に由来する座面上のウイルスや細菌がタオルに付着する。そのタオルを使って陰部をこすり洗いした場合、タオルに付着した性病のウイルスや細菌が陰部に入り、性病に感染しやすい。この風呂椅子に座って陰部を洗い流せば、水が風呂椅子の座面上にたまり、すぐには流れていかない。座面上に陰部が浸たるほど水がたまったり、座面上に流れた水が陰部にかかったりすれば、座面に残っていた性病患者の性病ウイルス・細菌が陰部に入り、性病に感染しやすくなる。このことから、銭湯や性病患者を抱える家庭にとって、従来型の風呂椅子は非衛生的であり、性病のウイルスや細菌が潜伏している可能性が極めて大きい。体を洗う時にこうした風呂椅子を使用すれば、性病に感染しやすくなる。【０００６】  本考案は、従来型風呂椅子のこのような形状・構造上の問題を解決しようとするものである。本考案のＵ字形風呂椅子を使用すれば、入浴時に陰部や肛門をこすり洗いしたり、水で洗い流したりするのに便利で、性病の感染も避けられる。さらに、陰部や肛門を洗う時に、他人の視線を背中で遮ることができ（或いはかなり人の視線を遮ることができる）、他人からは見えにくい。
【課題を解決するための手段】
【０００７】  本考案の実施例１では、上記の目的を達するため、風呂椅子全体をＵ字形またはそれに類似した形状にするもので、この風呂椅子の座面上には、舌のような形をした凹部分と、これと同じ形・大きさのフタを設ける。フタは舌形のへこみの部分をぴったり覆うもので、座面に取り付ければ座面とフタの面が平らになる。このＵ字形またはそれに類似した形状の風呂椅子の凹部分上部には凸出した部分があり、凸部分と座面との高度差は、上記のフタの縁の高さ同じとし、フタに縁がない場合は、フタの厚さと同じとする。この出っ張りの部分は、上記のフタを支えるためのものである。凸部分はＵ字形またはそれに類似した形状の風呂椅子と一体成型としてもよい。また、上記のフタは、Ｕ字形またはそれに類似した形状の風呂椅子一つに対して複数作る。【０００８】  実施例２では、風呂椅子をＵ字形またはそれに類似した形状にした上で、座面凹部分の端を座面より若干低くし、その段差を後述のフタの縁の高さと等しくするか、またはフタに縁がない場合は、段差をフタの厚みと等しくする。さらに、座面上に取り付けるフタの面積は、座面の舌形の凹んだ部分の面積と、座面凹部分内側の若干低くした部分の面積を合わせた面積と等しくし、フタが座面凹部分縁の若干低い部分にぴったりとはまるようにする。さらに、フタをはめ込んだとき、フタと座面が平らになるようにする。【０００９】  上記のフタは同時に複数作り、Ｕ字形またはそれに近い形状の風呂椅子一つに対し、複数のフタを用意する。【００１０】実施例３では、Ｕ字形またはそれに類似した形状の座板を作り、風呂椅子の座板とする。さらに、座板には座面上の舌形の凹部分と同じ形・大きさのフタをつける。フタは座面の舌形の凹部分にぴったりはまるようにする。上述の凹部分内側の縁には凸出した部分を設け、ここでフタを支える。凸部分と座面との段差は、フタの縁の高さと等しくし、フタに縁がない場合はフタの厚みと等しくなるようにする。【００１１】  フタは、同時に複数つくる。【００１２】  座板の下部には４本の脚を取り付ける（ケース１）か、または次の方法を採用する（ケース２）。上記のＵ字形またはそれに類似した形状の座板の下側（裏側）の左右両側に、それぞれ二対の固定具（挟むタイプ）を取り付け、ボルトまたはリベットを通すことができる丸い穴を開けておく。二対の固定具は、後述のＵ字形の骨組みを作るパイプがちょうど通るか、押さえてへこませればはまるようにする。ステンレスパイプまたはブラックペイントを塗った鉄パイプでＵ字形の骨組み（図７を参照）をつくり、Ｕ字形の骨組みには上述の固定具の穴に対する箇所に、固定具の穴と同じ大きさの丸い穴を作る。その後、ボルトまたはリベットを上述の固定具と骨組みの穴に通し、Ｕ字形またはそれに類似した形状の座板を骨組みの上に固定する。
【考案の効果】
【００１３】  上述のように、本考案のうち実施例１、２では、風呂椅子全体をＵ字形またはそれに類似した形状にする。さらに、座面にフタを設け、フタを座面の舌形の凹部分に取り付けたとき、座面が一つのまとまった座面になるようにする。これにより、座ったまま陰部や肛門以外の部位も洗えるようにする。陰部と肛門を洗うときには、フタを外す。このとき、風呂椅子はＵ字形またはそれに類似した形状になり、陰部と肛門を洗うときにまったく邪魔にならず、繰り返しこすり洗いすることができ、その後に水で流す時も便利である。【００１４】  本考案の実例案３では、Ｕ字形またはそれに類似した形状に作られた座板を風呂椅子の座板として採用し、座板上にフタを設け、座板下側には４本の脚を設ける（ケース１）。または座板をステンレスパイプまたはブラックペイントを塗った鉄パイプのＵ字形の骨組みに固定している（ケース２）。この風呂椅子の場合も、上述の実例案１、２と同じ効果が得られる。陰部や肛門以外の部位を洗うときには、フタを座面のへこみ部分に取り付け、座面を完全な形にする。もちろん、フタは取り付けなくてもよい。陰部と肛門を洗うときはフタを外す。このとき、座板はＵ字形またはそれに類似した形状になる。座板の下側は４本の脚またはＵ字形の骨組みになっており、陰部や肛門を洗うときにまったく邪魔にならず、繰り返しこすり洗いすることができる。こすり洗いの後、水で洗い流す時も便利である。【００１５】  本考案のＵ字形風呂椅子で体を洗えば、陰部と肛門を洗う時（座面のフタを取り外す）、陰部と肛門の下側が凹部分に当たるため、体をこするタオルが座面に当たらず、座面上の性病のウイルスや細菌が陰部に入ることがない。水で洗い流す時、陰部や肛門を洗った水がすぐに流れ落ちてしまうため、汚れた水が座面上にたまって陰部に入り込み、座面上の性病ウイルスや細菌を陰部にもたらすといった従来型風呂椅子の問題がない。ここから分かるとおり、体を洗うときに本考案のＵ字形風呂椅子を使えば、性病の感染を防ぐことができる。【００１６】  このほか、本考案のＵ字形風呂椅子を使って体を洗う場合、水で陰部や肛門を洗い流すとき（座面上のフタは取り外しておく）、陰部や肛門を洗った水が座面にかからず、すぐに流れてしまうことから、性病患者が陰部や肛門を洗った後の性病のウイルスや細菌を伴う水が座面上に流れることがなく、性病患者から他人への性病の感染を防ぐことができる。【００１７】  また、本考案の風呂椅子には複数のフタがあり、風呂椅子を使用する各自が自分専用のフタを使用することができる。使用後は自分で保管し、使うときに取り出せばよい。こうすることで、入浴時に性病患者が座ったフタの上に座らなくてもよい。性病患者が風呂椅子のフタの上で上半身や太ももを洗うとき、水が陰部を通り、陰部の性病ウイルスや細菌をフタの上に流しだすおそれがある。このほか、性病患者が上記の風呂椅子のフタに座った場合、多かれ少なかれ陰部のウイルスや細菌がフタに付着するおそれがある。つまり、入浴者がそれぞれ自分専用の風呂椅子のフタを持つことで、性病への感染を防ぐことができる。【００１８】  また、本考案のＵ字形風呂椅子を使用すれば、座ったままで陰部と肛門を洗い、他人の視線を背中で遮りやすく、他人からは見えにくい。
【考案を実施するための最良の形態】
【００１９】  実施例１、２では、風呂椅子全体の形状をＵ字形またはそれに類似した形状にし、さらに座面の舌形の凹部分にフタを設け、フタは複数用意する。【００２０】  実施例３では、Ｕ字形またはそれに類似した形状の座板を作り、それを風呂椅子の座板として、座面の舌形の凹部分にフタを設ける。座板下側には４本の脚を取り付けるか、座板をステンレスパイプまたはブラックペイントを塗った鉄パイプのＵ字形の骨組みの上に固定する。【００２１】  上記のフタは複数作る。【００２２】また、本考案のＵ字形風呂椅子は、すべての角と縁を滑らかにする。これにより、座り心地が増す。
【実施例１】
【００２３】  図１と図２に沿って説明する。１はＵ字形またはそれに類似した形状の風呂椅子。５は座面の舌形の凹部分４にぴったりとはまるフタ。２はＵ字形またはそれに類似した形状の風呂椅子１の内壁。３の上部にはフタ５を支える凸部分がある。【００２４】  Ｕ字形またはそれに類似した形状の風呂椅子１のフタ５を作る際は、同時に複数作る。【００２５】  また、座面と外周部分の間の角、外周部分の角、凸部分２の角、端の角、フタ５の角は、すべて滑らかにする。
【実施例２】
【００２６】  Ｕ字形またはそれに類似した形状の風呂椅子６の座面内側の縁は、座面より若干低くしてあり、フタ８が座面より多少低めに作られた縁７の部分にぴったりはまるようにする。Ｕ字形風呂椅子６には、複数のフタ８を用意する。【００２７】  Ｕ字形またはそれに類似した形状の風呂椅子６のそれぞれの角、フタ８のそれぞれの角は、すべて滑らかにする。
【実施例３】
【００２８】  ｐ４９は縁のあるＵ字形またはそれに類似した形状の座板。１１は座板内側の縁にある、フタ１２を支えるための凸部分。１３は、座板下側にある４本の脚。フタ１２はＵ字形またはそれに類似した形状座板９の舌形の凹部分にぴったりとはまる。座面とその縁１０との間にある角はすべて滑らかにする。凸部分１１の角や端の角も滑らかにする。【００２９】  次に挙げるのは、実施例２である。Ｕ字形またはそれに類似した形状の座板９の下の左右両側にそれぞれ対になった固定具（挟むタイプ）１５を取り付け、固定具１５にはボルトまたはリベットを通す丸い穴１６を開ける。固定具間の距離は、Ｕ字形の骨組み１４のパイプ直径と同じかまたはパイプ直径より若干小さめにし、Ｕ字形の骨組み１４のパイプが固定具１５にぴったりはまるか、力を加えてへこませればはまるようにする。Ｕ字形の骨組みには、固定具１５にある穴１６に対応する箇所にそれぞれ固定具１５側と同じ大きさの穴があり、ボルトやリベットを通せるようになっている。ボルトやリベットを固定具１５の穴１６と、Ｕ字形の骨組みにある相応する穴に通し、Ｕ字形座板９をＵ字形の枠組み１４の上に取り付ける。【００３０】  この他、フタ１２は複数作る。【００３１】  次に、上述の構造の働きを説明する。実施例１と実施例２では、風呂椅子全体の形状をＵ字形またはそれに近い形にしている。実施例３の中では、風呂椅子の座板をＵ字形またはそれに近い形とし、座板を４本の脚またはＵ字形の枠組みで支えている。こうした構造（実施例１、２、３を含む）の風呂椅子に座って陰部や肛門をこすり洗いする場合、まったく邪魔にならず、水で陰剖や肛門を洗う時にも便利であり、性病の感染も防ぐことができる。【００３２】  また、実施例１、２、３では、座面の舌形の凹部分をぴったりと覆うフタを用意しており、陰部や肛門以外の部分を洗う場合は、完全な形の座面に座ることができる。【００３３】  実施例１、２、３ともに複数のフタを用意してあり、風呂椅子を使用する人がそれぞれ自分専用のフタを持つことで、性病の患者が座ったフタに座って性病に感染することが防げる。また性病患者は椅子のフタにより性病を他の人へうつすのを防ぐことができる。
【図面の簡単な説明】
【００３４】
【図１】本考案の実施例１：Ｕ字形風呂椅子の立体図
【図２】本考案の実施例１：Ｕ字形風呂椅子のフタ
【図３】本考案の実施例２：Ｕ字形風呂椅子の立体図
【図４】本考案の実施例２：Ｕ字形風呂椅子のフタ
【図５】本考案の実施例３・プラン１：Ｕ字形風呂椅子の立体図
【図６】本考案の実施例３：Ｕ字形風呂椅子のフタ
【図７】ステンレス鋼管またはブラックペイントを施した鉄パイプで作ったＵ字形の骨組み
【図８】本考案の実施例３・プラン２：風呂椅子の座板とその下の固定具
【図９】本考案の実施例３・プラン２：Ｕ字形の風呂椅子
【符号の説明】
【００３５】１  本考案の実施例１：Ｕ字形またはそれに近い形に作られた風呂椅子
２  実施例１の中の凸部分
３  内壁
４  舌形の凹部分
５  実施例１のＵ字形またはそれに近い形に作られた風呂椅子のフタ
６  実施例２のＵ字形またはそれに近い形に作られた風呂椅子
８  実施例２の風呂椅子フタ
９  実施例３のＵ字形またはそれに近い形に作られたの座板
１１  実施例３の凸部分
１２  実施例３のフタ
１３  脚
１４  Ｕ字形の骨組み
１５  固定具
【図１】
0003111168.tif 000003
【図２】
0003111168.tif 000004
【図３】
0003111168.tif 000005
【図４】
0003111168.tif 000006
【図５】
0003111168.tif 000007
【図６】
0003111168.tif 000008
【図７】
0003111168.tif 000009
【図８】
0003111168.tif 000010
【図９】
0003111168.tif 000011